(57)【要約】【課題】同一色で発光させる場合には一部の光源を点灯させれば良く、異なる色で発光させる場合には見栄えに意外性を与えることができる演出用灯具を提供すること。【解決手段】本発明に係る演出用灯具１は、入光部３ａと反射面３ｂ及び出光部３ｃを備えたレンズ３と、該レンズ３の周囲に配置された第１反射板４と、該第１反射板４の周囲に配置された第２反射板５と、前記レンズ３の入光部３ａに対向配置された第１ＬＥＤ（第１光源）７と、前記第２反射板５の反射面５ａに対向配置された第２ＬＥＤ（第２光源）８を備え、前記第１反射板４の同一面上に、前記第１ＬＥＤ７から前記レンズ３に入射して該レンズ３の反射面３ｂで反射した光を光軸方向と光軸方向以外の任意の方向に反射させる突起状の第１反射部９と、前記第２ＬＥＤ８から前記第２反射板５の反射面５ａで反射した光を光軸方向に反射させる突起状の第２反射部１０とを設けて構成される。【選択図】図３
2015011965.tif 000002
【特許請求の範囲】
【請求項１】
入光部と反射面及び出光部を備えたレンズと、該レンズの周囲に配置された第１反射板と、該第１反射板の周囲に配置された第２反射板と、前記レンズの入光部に対向配置された第１光源と、前記第２反射板の反射面に対向配置された第２光源を備え、
前記第１反射板の同一面上に、前記第１光源から前記レンズに入射して該レンズの反射面で反射した光を光軸方向と光軸方向以外の任意の方向に反射させる突起状の第１反射部と、前記第２光源から前記第２反射板の反射面で反射した光を光軸方向に反射させる突起状の第２反射部とを設けたことを特徴とする演出用灯具。
【請求項２】
前記第１光源と前記第２光源を内外の同一円周上にそれぞれ複数配置するとともに、複数の前記第２反射部を前記第２光源の配置位置に対応させて放射状に配置したことを特徴とする請求項１記載の演出用灯具。
【請求項３】
前記第１反射部と前記第２反射部の基本形状を同じとし、前記第２の反射部に、前記第２光源から前記第２反射板の反射面で反射した光を光軸方向に反射させる反射面を追加したことを特徴とする請求項１又は２記載の演出用灯具。
【発明の詳細な説明】
【技術分野】
【０００１】
本発明は、遊技機等の演出に用いられる演出用灯具に関するものである。
【背景技術】
【０００２】
パチンコ遊技機等の遊技機においては、遊技の進行に伴ってＬＣＤ等の表示部に表示される演出図柄が変動したり、演出用灯具が点灯したりすることによって種々の演出がなされる。このような演出に用いられる演出用灯具の光源には、高輝度で消費電力が小さく、所望の光量が得られるまでの立ち上がる時間が短いＬＥＤ（発光ダイオード）等の発光素子が用いられている。
【０００３】
而して、近年、演出用灯具には複数の発光素子が設けられ、各発光素子からの光は反射板によって反射して所望の方向に出射するが、特許文献１には、発光素子からの光を効率的に反射させて小型化とグレアの抑制を図ることができる反射鏡式照明器具が提案されている。
【先行技術文献】
【特許文献】
【０００４】
【特許文献１】特開２０１１−１７５７８８号公報
【発明の概要】
【発明が解決しようとする課題】
【０００５】
ところで、従来の演出用灯具においては、同一面上で異なる色で点灯させるためには、それぞれ個別の光学系を用いる必要があったため、たとえ同一面上で全て同色で発光させる場合であっても、全発光素子を点灯させる必要があるために消費電力が大きくなるという問題があった。
【０００６】
又、異なる色で発光させる場合には、異なる色の境界線が明らかになっているために見栄えに意外性がないという問題もあった。
【０００７】
本発明は上記問題に鑑みてなされたもので、その目的とする処は、同一色で発光させる場合には一部の光源を点灯させれば良く、異なる色で発光させる場合には見栄えに意外性を与えることができる演出用灯具を提供することにある。
【課題を解決するための手段】
【０００８】
上記目的を達成するため、請求項１記載の演出用灯具は、入光部と反射面及び出光部を備えたレンズと、該レンズの周囲に配置された第１反射板と、該第１反射板の周囲に配置された第２反射板と、前記レンズの入光部に対向配置された第１光源と、前記第２反射板の反射面に対向配置された第２光源を備え、前記第１反射板の同一面上に、前記第１光源から前記レンズに入射して該レンズの反射面で反射した光を光軸方向と光軸方向以外の任意の方向に反射させる突起状の第１反射部と、前記第２光源から前記第２反射板の反射面で反射した光を光軸方向に反射させる突起状の第２反射部とを設けて構成されることを特徴とする。
【０００９】
請求項２記載の発明は、請求項１記載の発明において、前記第１光源と前記第２光源を内外の同一円周上にそれぞれ複数配置するとともに、複数の前記第２反射部を前記第２光源の配置位置に対応させて放射状に配置したことを特徴とする。
【００１０】
請求項３記載の発明は、請求項１又は２記載の発明において、前記第１反射部と前記第２反射部の基本形状を同じとし、前記第２の反射部に、前記第２光源から前記第２反射板の反射面で反射した光を光軸方向に反射させる反射面を追加したことを特徴とする。
【発明の効果】
【００１１】
本発明によれば、第１反射部と第２反射部を第１反射板の同一面上に配置するとともに、両者の基本形状を同じにしたため、同一面上で全て同色で発光させる場合には一方の第１光源だけを点灯させれば良く、消費電力を低く抑えることができる。又、第１反射部と第２反射部の基本形状が同じであるため、非点灯時でも両者の境界が分かりずらく、第１光源と第２光源の発光色を補色の関係にある２色とした場合には、第１反射部と第２反射部が異なる２色で発光するために見栄えに意外性を与えることができる。
【図面の簡単な説明】
【００１２】
【図１】本発明に係る演出用灯具の斜視図である。
【図２】本発明に係る演出用灯具の平面図である。
【図３】図２のＡ−Ａ線断面図である。
【図４】図２のＢ−Ｂ線断面図である。
【図５】第１反射板の第１反射部の拡大断面図である。
【図６】第１反射板の第２反射部の拡大断面図である。
【図７】本発明に係る演出用灯具の点灯状態を示す斜視図である。
【発明を実施するための形態】
【００１３】
以下に本発明の実施の形態を添付図面に基づいて説明する。
【００１４】
図１は本発明に係る演出用灯具の斜視図、図２は同演出用灯具の平面図、図３は図２のＡ−Ａ線断面図、図４は図２のＢ−Ｂ線断面図、図５は第１反射板の第１反射部の拡大断面図、図６は第１反射板の第２反射部の拡大断面図、図７は本発明に係る演出用灯具の点灯状態を示す斜視図である。
【００１５】
本発明に係る演出用灯具１においては、図３及び図４に示すように、上方が開口した有底円筒状のベース２の中心部に透明樹脂製のレンズ３が配置され、このレンズ３の上方にはすり鉢円状の第１反射板４が配置されている。そして、第１反射板４の周囲には円筒状の第２反射板５が配置されており、第１反射板４の中心部には八角錐状のコーン６が立設されている。
【００１６】
上記レンズ３の下面には、図３に示すように、突起状の８つの入光部３ａが周方向に等角度（４５°）ピッチで一体に突設されており、これらの入光部３ａに対向するレンズ３の上面には、角柱状の８つのリブ３Ａが第１反射板４を貫通して垂直に立設されている。そして、各リブ３Ａの上面は斜めにカットされた反射面３ｂを構成しており、同リブ３Ａの外周面は出光部３ｃを構成している。又、前記ベース２上のレンズ３の入光部３ａに対向する箇所には、光源である計８個の第１ＬＥＤ７が同一円周上に等角度ピッチで配置されている。尚、レンズ３の各入光部３ａは、第１ＬＥＤ７から出射される光をレンズ３内で光軸方向に対して平行になるよう屈折させるように形状が設計されている。
【００１７】
又、前記第２反射板５の上端開口部周縁には、図１、図２及び図４に示すように、略三角形を成す庇状の８つの反射部５Ａが径方向内方に向かって斜めに形成されている。これらの反射部５Ａは、レンズ３の入光部３ａとリブ３Ａ及び第１ＬＥＤ７の周方向の配列ピッチに対して半ピッチ（２２．５°）ずれた位置、即ち、レンズ３の入光部３ａとリブ３Ａ及び第１ＬＥＤ７の周方向に隣接する２つの間に配置されている。そして、各反射部５Ａの内面は、円弧曲面状の反射面５ａを構成している（図４参照）。尚、これらの反射面４ａと前記第１反射板４の上面にはアルミ蒸着やメッキ等の反射処理が施されているが、第１反射板４と第１反射板２を反射率の高い素材で構成する場合には反射処理は不要である。
【００１８】
そして、図４に示すように、第２反射板５の反射面５ａの下方であって、前記ベース２の周壁２ａ上には、光源である計８個の第２ＬＥＤ８が配置されている。従って、各８個ずつの第１ＬＥＤ７と第２ＬＥＤ８は、平面視において内外の円周上に周方向に交互に配置されている。
【００１９】
又、図１〜図４に示すように、第１反射板４の上面の同一平面（反射面）上には突起状の多数の第１反射部９と第２反射部１０が配置されている。ここで、第１反射部９と第２反射部１０の断面の詳細を図５と図６にそれぞれ示すが、両者の基本形状は共に半球面状であるが、第２反射部１０には、第２ＬＥＤ８から第２反射板５の反射面５ａで反射した光を光軸方向に反射させる平坦な反射面１０ａが追加されている。そして、複数の第２反射部１０は、図７に黒く塗り潰して示すように、第２ＬＥＤ８の配置位置に対応させて放射状に配置されている。
【００２０】
以上のように構成された演出用灯具１において、複数の第１ＬＥＤ７に通電されてこれらが発光すると、その光は図３に示すようにレンズ３の入光部３ａからレンズ３内に光軸方向に対して平行（図３の垂直上方）に向かって入射してレンズ３内を導光し、レンズ３の反射面３ｂで反射してその方向が変えられた後、レンズ３の出光部３ｃから斜め方向に出射する。そして、レンズ３から出射した光は、第１反射板４に配置された第１反射部９にて光軸方向及び光軸に対して斜め方向に反射する。
【００２１】
他方、複数の第２ＬＥＤ８に通電されてこれらが発光すると、その光は図４に示すように第２反射板５の各反射部５Ａの内面に形成された反射面５ａで反射して第１反射板４に向かい、該第１反射板４に配置された第２反射部１０の反射部１０ａにて光軸方向に対して平行（図４の垂直上方）に向かって反射する。
【００２２】
而して、本発明に係る演出用灯具１によれば、複数の第１反射部９と第２反射部１０を第１反射板４の同一面上に配置するとともに、両者の基本形状を同じ半球面状にしたため、同一面上で全て同色で発光させる場合には一方の第１ＬＥＤ７だけを点灯させれば良く、消費電力を低く抑えることができる。
【００２３】
又、上述のように第１反射部９と第２反射部１０の基本形状が同じであるため、非点灯時でも両者の境界が分かりずらく、第１ＬＥＤ７と第２ＬＥＤ８の発光色を同時に点灯させる場合、両者の発光色を補色の関係にある２色とすれば、第１反射板４上の第１反射部９と第２反射部１０が異なる２色で発光するために見栄えに意外性を与えることができる。この場合、第２ＬＥＤ８からの光は、図７に黒く塗り潰して示す第２反射部１０において反射して第１ＬＥＤ７とは異なる色で発光する。
【符号の説明】
【００２４】
１      演出用灯具
２      ベース
２ａ    ベースの周壁
３      レンズ
３Ａ    レンズのリブ
３ａ    レンズの入光部
３ｂ    レンズの反射面
３ｃ    レンズの出光部
４      第１反射板
５      第２反射板
５Ａ    第２反射板の反射部
５ａ    第２反射板の反射面
６      コーン
７      第１ＬＥＤ（第１光源）
８      第２ＬＥＤ（第２光源）
９      第１反射板の第１反射部
１０    第１反射板の第２反射部
１０ａ  第２反射部の反射面
【図１】
2015011965.tif 000003
【図２】
2015011965.tif 000004
【図３】
2015011965.tif 000005
【図４】
2015011965.tif 000006
【図５】
2015011965.tif 000007
【図６】
2015011965.tif 000008
【図７】
2015011965.tif 000009